(57)【要約】      （修正有）【課題】既設の浴室において、何らの取付工事等を行うことなく、シャワー装置のシャワーホースが浴室の洗い場の床面上に垂れ下がることを防止すると共に、洗い場を常に衛生的な状態を保つことができるシャワー装置を提供する。【解決手段】固定具Ｋは、吸盤１、接続具２、連結バンド５、自動巻具３及び止具４とから構成されている。止具４と吸盤１は、接続具２、連結バンド５及び自動巻具３を介して接続され、止具４は、シャワーホースＳの中間部にワンタッチで取り付けられ、吸盤１は、パネル又はタイル等からなる浴室の壁面に押し付けられ吸着されている。【選択図】図１
0003144744.tif 000002
【実用新案登録請求の範囲】
【請求項１】
シャワーホースを有するシャワー装置において、
シャワーホースの中間部を固定する固定具が、吸盤、接続具、連結バンド、自動巻具及び止具とからなり、
止具と吸盤は、接続具及び自動巻具を介して接続され、
止具は、シャワーホースにワンタッチで取り付けられ、
吸盤は、浴室壁面に押し付けられ吸着されている、
ことを特徴とする、シャワー装置。
【請求項２】
前記吸盤の外面部中央には、前記接続具と連結するための軸孔を設けたジョイント部を形成している、
ことを特徴とする、請求項１に記載のシャワー装置。
【請求項３】
前記接続具は、ほぼ円形状のリングであり、当該接続具の上方には前記吸盤のジョイント部を取り付けるための凹部と軸受が形成され、当該軸受と前記吸盤のジョイント部の軸孔には回動軸が軸支されている、
ことを特徴とする、請求項１〜請求項２の何れかに記載のシャワー装置。
【請求項４】
前記接続具の下方内側には、ほぼ半円状の開口部が形成されている、
ことを特徴とする、請求項１〜請求項３の何れかに記載のシャワー装置。
【請求項５】
前記自動巻具は、函状ケースと、当該函状ケース内に係止された渦巻きバネと、一端を当該渦巻きバネに固定して巻回され、他端を前記止具に連結された金属又は樹脂材からなるテープ又は紐体からなる、
ことを特徴とする、請求項１〜請求項４の何れかに記載のシャワー装置。
【請求項６】
前記接続具と自動巻具は、連結バンドで連結され、当該連結バンドは、前記接続具の開口部の周縁部に沿って円運動可能とされている、
ことを特徴とする、請求項１〜請求項５の何れかに記載のシャワー装置
【請求項７】
前記止具が、一端に挿通孔と係止部を形成した合成樹脂材からなる締結バンドである、
ことを特徴とする、請求項１〜請求項６の何れかに記載のシャワー装置。
【請求項８】
前記止具は、前記自動巻具の函状ケース内に収納されたテープ又は紐体の長さの範囲内で伸縮自在となっている、
ことを特徴とする、請求項１〜請求項７の何れかに記載のシャワー装置。
【考案の詳細な説明】
【技術分野】
【０００１】
本考案は、シャワー装置に係り、より詳しくは、浴室の壁面を利用し、シャワー装置のシャワーホースが、浴室の洗い場床面上に垂れ下がることを防止すると共に、洗い場を常に衛生的な状態を保つことができるシャワー装置に関する。
【背景技術】
【０００２】
図６は、シャワーホース１００の中間部１０１が洗い場２００の床面２０１に垂れ下がった状態を示している。このように浴室Ｂにおけるシャワーホース１００の中間部１０１が、洗い場２００に垂れ下がっているのは、浴室Ｂの外観を損なうことはもちろん、非衛生的である。即ち、シャワー時には、洗髪によるシャンプー液等の排出口３００への排水や身体の洗浄水等の排水性を悪くし、洗い場２００に湯垢等が付着する原因ともなる。また特に、シャワー終了後、ホース１００の中間部１０１を洗い場２００に垂れ下がったままの状態で放置すると、ホース１００の中間部１０１との接触面は乾燥が阻止されるので、各種の細菌が発生する要因ともなり、極めて非衛生な状態となる。
【０００３】
シャワー装置におけるシャワーホースが浴室の床面上に垂れ下がるのを防止するものとして、例えば、特開平１１−１７２７２９（特許文献１）が、提案、開示されている。特許文献１は、「浴室内を見苦しくしたり、壁裏に配管を設けたりしなくても、シャワーホースの浴室床面上への垂れを防止できる浴室用シャワー装置を提供する」ことを課題として、その解決手段は、「浴室のカウンター側又は浴槽のリム部側から上方に立ち上げられ、上端側が浴室壁面面に固定される手すりの内方にシャワー水流路を設け、この手すりの上端側に、シャワー水流路に連通するシャワーホースの接続部を設けた」とし、これにより壁裏配管を設けなくても、シャワー水流路が、手すりの上端まで手すり内に形成されるため、シャワーホースの接続部を充分高い位置に設けることができる。このため、シャワーヘッドを下フック部材に支持させた場合でも、シャワーホースが浴室の床面側に垂れてしまうことはない、としている。
【０００４】
また、実開平５−８９５６１（特許文献２）は、「ハンドシャワー用のシャワーホースを邪魔になるようなことなく配置する」ことを目的とし、その解決手段は、「上下方向に設けられたケースのスリットに沿って上下動自在なシャワーノズルを備えたシャワー装置である。ケースの外面に設けられたハンドシャワー用フックにハンドシャワーノズルを着脱自在に係止する。少なくとも一部に磁石を備えたシャワーホースをハンドシャワーノズルより導出する。シャワーホースをケースの下部に連結する。ケースの外面部または内面部に磁石と磁着する磁着体を設ける」構成としている。
【０００５】
特許文献１は、既設のシャワー装置に手すり及び洗い場カウンターを取り付けるには、壁面に孔明け作業、配管作業等の取付工事が必要であり、また手すり及び洗い場カウンターを設ければ、浴室における洗い場スペースが狭小となる不具合がある。
【０００６】
特許文献２は、ケース型のシャワー装置であるが、浴室内の壁面には、一般的にボディソープ、ヘアーシャンプー等の各種洗剤、浴室用洗剤、ヘアーブラシ、スポンジブラシ等の洗浄用具を載置する浴用器具棚が設置されており、これに加えて、特許文献２に示すケース型のシャワー装置を浴室の壁面に設置すると、浴室の外観は損なわれると共に、入浴者には抑圧感を与え、入浴による、くつろぎないし安らぎ感、開放感等の入浴効果が達成されないという不具合が生じる。
【特許文献１】特開平１１−１７２７２９号公報
【特許文献２】実開平５−８９５６１号公報
【考案の開示】
【考案が解決しようとする課題】
【０００７】
本考案が解決しようとする課題は、既設の浴室において、何らの取付工事等を行うことなく、シャワー装置のシャワーホースが浴室の洗い場の床面上に垂れ下がることを防止すると共に、洗い場を常に衛生的な状態を保つことができるシャワー装置を提供することにある。
【課題を解決するための手段】
【０００８】
本考案者は、上記の従来技術が有する各種の問題点に鑑み、鋭意検討を重ねて、特に、浴室内の壁面がパネル板又はタイル壁であることに着目し、本考案を完成したものである。
＊＊＊＊＊＊＊＊＊＊＊＊＊＊＊＊＊＊＊＊＊＊＊＊＊＊＊＊＊＊＊＊＊＊＊＊＊＊＊＊
本考案の明細書、図面に記載の用語についての解釈上の疑義を解消すべく、以下に本明細書、図面に記載する用語の説明を行うこととする。
〈用語の説明〉
○固定具とは、浴室のシャワー装置におけるシャワーホースの中間部が洗い場の床面上に垂れ下がることを防止する器具であり、吸盤、接続具、自動巻具及び止具を主な部材とする。
○吸盤とは、ゴム又は軟質樹脂材からなり、浴室壁面に押し付けて吸着させる円盤体で、内面は凹部を形成し、外面部中央には、接続具と連結するための軸孔を設けたジョイント部を形成している。
○接続具とは、硬質樹脂材からなる、ほぼ円形状のリングであり、その上方には軸受が形成され、軸受に軸支された回動軸で吸盤のジョイント部で接続される。また接続具の下方内側には、ほぼ半円状の開口部が形成され、連結バンドを介して自動巻具とも連結されている。
○自動巻具とは、表蓋と裏蓋を接合し、ほぼ四角形の函状ケースを形成してなるもので、裏蓋の内側には係止軸が立設され、当該係止軸の中央軸方向にはスリット（割溝）が形成され、スリットには弾性金属板からなる渦巻きバネが係止されている。渦巻きバネの端部には金属又は樹脂材からなる長さが約５０ｃｍ〜８０ｃｍのテープ又は紐体の一端が固定され、他端には止具である締結バンドが挿通、掛吊されており、シャワーホースの上下動は、吸盤と接続具の回動軸により、またシャワーホースの左右の揺動は、渦巻きバネの弾性によりテープ又は紐体の伸縮により対応するようになっている。 
○止具とは、一端に挿通孔と係止部を形成した合成樹脂材からなる締結バンドをいう。自動巻具の函状ケース内に収納されたテープ又は紐体の端部に取り付けられ、シャワーホースの中間部をワンタッチで締結する。
○連結バンドとは、可撓性樹脂材からなる一端に挿通孔と係止部を形成した、リング状のバンドであり、接続具と自動巻具を連結する。
＊＊＊＊＊＊＊＊＊＊＊＊＊＊＊＊＊＊＊＊＊＊＊＊＊＊＊＊＊＊＊＊＊＊＊＊＊＊＊
課題を解決するための手段（第１考案〜第８考案）は、本願、実用新案登録請求の範囲の各請求項に記載の考案であり、具体的には、
第１の考案は、請求項１に記載の考案であり、
第２の考案は、請求項２に記載の考案であり、
第３の考案は、請求項３に記載の考案であり、
第４の考案は、請求項４に記載の考案であり、
第５の考案は、請求項５に記載の考案であり、
第６の考案は、請求項６に記載の考案であり、
第７の考案は、請求項７に記載の考案であり、
第８の考案は、請求項８に記載の考案であり、
具体的な解決手段は、以下の通りである。      
【０００９】
［第１の考案］
上記の課題を解決するための第１の考案は、
「シャワーホースを有するシャワー装置において、
シャワーホースの中間部を固定する固定具が、吸盤、接続具、連結バンド、自動巻具及び止具とからなり、
止具と吸盤は、接続具及び自動巻具を介して接続され、
止具は、シャワーホースにワンタッチで取り付けられ、
吸盤は、浴室壁面に押し付けられ吸着されている」
ことを特徴としている。
【００１０】
［第２の考案］
上記の課題を解決するための第２の考案は、
「前記吸盤の外面部中央には、前記接続具と連結するための軸孔を設けたジョイント部を形成している」
ことを特徴とする、請求項１に記載のシャワー装置である。
【００１１】
［第３の考案］
上記の課題を解決するための第３の考案は、
「前記接続具は、ほぼ円形状のリングであり、当該接続具の上方には前記吸盤のジョイント部を取り付けるための凹部と軸受が形成され、当該軸受と前記吸盤のジョイント部の軸孔には回動軸が軸支されている」
ことを特徴とする、請求項１〜請求項２の何れかに記載のシャワー装置である。
【００１２】
［第４の考案］
上記の課題を解決するための第４の考案は、
「前記接続具の下方内側には、ほぼ半円状の開口部が形成されている」
ことを特徴とする、請求項１〜請求項３の何れかにシャワー装置である。
【００１３】
［第５の考案］
上記の課題を解決するための第５の考案は、
「前記自動巻具は、函状ケースと、当該函状ケース内に係止された渦巻きバネと、一端を当該渦巻きバネに固定して巻回され、他端を前記止具に連結された金属又は樹脂材からなるテープ又は紐体からなる」
ことを特徴とする、請求項１〜請求項４の何れかにシャワー装置である。
【００１４】
［第６の考案］
上記の課題を解決するための第６の考案は、
「前記接続具と自動巻具は、連結バンドで連結され、当該連結バンドは、前記接続具の開口部の周縁部に沿って円運動可能とされている」
ことを特徴とする、請求項１〜請求項５の何れかにシャワー装置である。
【００１５】
［第７の考案］
上記の課題を解決するための第７の考案は、
「前記止具が、一端に挿通孔と係止部を形成した合成樹脂材からなる締結バンドである」
ことを特徴とする、請求項１〜請求項６の何れかにシャワー装置である。
【００１６】
［第８の考案］
上記の課題を解決するための第８の考案は、
「前記止具は、前記自動巻具の函状ケース内に収納されたテープ又は紐体の長さの範囲内で伸縮自在となっている」
ことを特徴とする、請求項１〜請求項７の何れかにシャワー装置である。
【考案の効果】
【００１７】
本考案に係る、シャワー装置は、上記のような特徴的構成用件から構成され、特徴的構成用件に応じた、以下のような本考案特有の効果を奏する。
また、上記のような特徴的構成用件から構成されたシャワー装置によれば、本考案の課題を十分解消することができる。
○第１の考案の効果
第１の考案によれば、
「シャワーホースを有するシャワー装置において、
シャワーホースの中間部を固定する固定具が、吸盤、接続具、連結バンド、自動巻具及び止具とからなり、
止具と吸盤は、接続具及び自動巻具を介して接続され、
止具は、シャワーホースにワンタッチで取り付けられ、
吸盤は、浴室壁面に押し付けられ吸着されている」
という、当業界において想到することが困難な特徴的な構成により、
既設の浴室において、何らの取付工事等を行うことなく、シャワー装置のシャワーホースが浴室の洗い場床面上に垂れ下がることを防止すると共に、洗い場を常に衛生的な状態を保つことができるシャワー装置の提供という、本考案の課題を解決することができた。即ち、シャワー装置のシャワーホースの中間部は、洗い場の床面に接しない高さの位置に止具を介して固定され、シャンプー後の毛髪や身体洗浄後の洗浄水や湯垢、石けんの泡等は、洗い場の排水口からスムーズに排出され、洗い場に滞留することがないので、洗い場は、常に衛生的であると共に、浴室内の外観を損なうことがない。また壁面に吸着されている吸盤は、簡単に壁面から離脱と吸着ができるので、入浴者は自分がシャワーするのに好適な位置に随時設置することができる。
【００１８】
○第２及び第３の考案の効果
第２の考案によれば、
「前記吸盤の外面部中央には、前記接続具と連結するための軸孔を設けたジョイント部を形成している」
という、当業界において想到することが困難な特徴的な構成により、
また第３の考案によれば、
「前記接続具は、ほぼ円形状のリングであり、当該接続具の上方には前記吸盤のジョイント部を取り付けるための凹部と軸受が形成され、当該軸受と前記吸盤のジョイント部の軸孔には回動軸が軸支されている」
という、当業界において想到することが困難な特徴的な構成により、
シャワー使用時、シャワーホースの上下動を、接続具の回動軸の回動によって円滑に行うことができるので、何らの違和感又は抵抗感もなくシャワーを行うことができる。
【００１９】
○第４及び第６の考案の効果
第４の考案によれば、
「前記接続具の下方内側には、ほぼ半円状の開口部が形成されている」
という、当業界において想到することが困難な特徴的な構成により、
また、第６の考案によれば、
「前記接続具と自動巻具は、連結バンドで連結され、当該連結バンドは、前記接続具の開口部の周縁部に沿って円運動可能とされている」
という、当業界において想到することが困難な特徴的な構成により、
シャワー使用時、シャワーホースの左右の揺動は、連結バンドが接続具の開口部の周縁部に沿って１８０°以内の円運動が可能で、第２及び第３の考案の効果と相俟って何らの違和感又は抵抗感もなくシャワーを行うことができる。
【００２０】
○第５及び第８の考案の効果
第５の考案によれば、
「前記自動巻具は、函状ケースと、当該函状ケース内に係止された渦巻きバネと、一端を当該渦巻きバネに固定して巻回され、他端を前記止具に連結された金属又は樹脂材からなるテープ又は紐体からなる」
という、当業界において想到することが困難な特徴的な構成により、
また、第８の考案によれば、
「前記止具は、前記自動巻具の函状ケース内に収納されたテープ又は紐体の長さの範囲内で伸縮自在となっている」
という、当業界において想到することが困難な特徴的な構成により、
シャワー使用時、シャワーホースの上下、左右の伸縮は、自動巻具内の渦巻きバネに巻回されたテープ又は紐体によって円滑に行われ、何らの不具合を感じることなくシャワーを行うことができる。
【００２１】
○第７の考案の効果
第７の考案によれば、
「前記止具が、一端に挿通孔と係止部を形成した合成樹脂材からなる締結バンドである」
という、当業界において想到することが困難な特徴的な構成により、
シャワー装置におけるシャワーホースの中間部を止着する位置をワンタッチで行うことができる。
【考案を実施するための最良の形態】
【００２２】
以下、本考案に係る、シャワー装置に関する最良の実施形態について、図面を参照しながら説明する。
図１は、固定具を構成する部材を分離した状態を示す斜視図である。
図２は、固定具を組み立てた状態の正面図である。
図３は、自動巻具と止具の一部切欠断面図である。
図４（イ）は、自動巻具における渦巻きバネにテープの一端を取り付けた状態を示す拡大断面図、同（ロ）は、止具にテープの他端を取り付けた状態を示す拡大断面図である。
図５は、固定具をシャワーホースの中間部に止着した状態の正面図である。
図６は、従来例を示すシャワーホースの中間部が、洗い場の床面に接触した状態の斜視図である。
【００２３】
固定具Ｋは、図１及び図２に示すように、吸盤１、接続具２、締結バンド５、自動巻具３及び止具４とから構成されている。また固定具Ｋを使用した状態に示すように、止具４と吸盤１は、接続具２及び自動巻具３を介して接続され一体化している。止具４は、シャワーホースＳの中間部Ｓｍにワンタッチで取り付けられ、吸盤１は、パネル又はタイル等からなる浴室Ｂの壁面Ｗに押し付けられ吸着されている（図５参照）。
【００２４】
吸盤１は、ゴム又は軟質樹脂材からなり、直径約４．５ｃｍ〜６．５ｃｍとされている。
吸盤１の内面は凹状となっており、またその外面部１ａ中央には、接続具２の上部と連結するための軸孔１１ａを設けたジョイント部１１が形成されている。
【００２５】
接続具２は、硬質樹脂材からなり、厚さが約６ｍｍ〜８ｍｍ、直径が約３．５ｃｍ〜４ｃｍのほぼ円形状のリングであり、接続具の上方には吸盤１のジョイント部１１を取り付けるための凹部２１が形成されると共に、当該凹部２１の両側には軸受２ａが形成され、軸受２ａには、軸孔２ｈが設けられ、軸孔２ｈには硬質樹脂材からなる回動軸２２が軸支されている。また接続具２の下方内側には、ほぼ半円状の周縁部２ｂと開口部２ｃが形成されている。接続具２は、吸盤１のジョイント部１１に連結された回動軸２２により、上下動が可能となっている。接続具２と自動巻具３は、後述する連結バンド５によって連結されている。
【００２６】
自動巻具３は、図１〜図３に示すように表蓋３ａと裏蓋３ｂを接合し、ほぼ四角形の函状ケース３１を形成している。当該函状ケース３１の上部には接続具２に接続するためのフック３ｆが取り付けられている。裏蓋３ｂの内側には係止軸３ｃが立設され、当該係止軸３ｃの中央軸方向にはスリット３ｄが形成され、当該スリット３ｄには渦巻きバネ３２が係止されている。渦巻きバネ３２の端部には金属又は樹脂材からなる、長さが約５０ｃｍ〜８０ｃｍのテープ又は紐体３３の一端が固定され、他端には挿通孔３３ａが設けられ、止具４である締結バンドが挿通、掛吊されている。また函状ケース３１の下部には開口部３１ａが設けられ、テープ又は紐体３３は、当該開口部３１ａから出没する。
【００２７】
図４（イ）は、自動巻具３における渦巻きバネ３２にテープ３３の一端を取り付けた状態の詳細を示すもので、弾性金属板からなる渦巻きバネ３２は、係止軸３ｃのスリット３ｄの固定部３ｅに固定されている。また渦巻きバネ３２は、係止軸３ｃの外周を２〜３回、巻回されている。渦巻きバネ３２の端部には、テープ又は紐体３３の端部を固定するための固着孔３２ａが設けられ、当該固着孔３２ａには、テープ又は紐体３３の端部が取り付けられている。なお、テープは例えば、ステンレススティール等の錆びにくい弾性素材からなる薄板とするのが好ましい。図４（ロ）は、止具４にテープ又は紐体３３の他端を取り付けた状態の詳細を示すもので、図中のＳｍは、シャワーホースＳの中間部である。止具４の先端部４ａは、テープ又は紐体３３の端部に設けられた挿通孔３３ａに挿通されてシャワーホースＳの中間部Ｓｍを巻回すると共に当該止具４の一端に形成された係止部４ｂに挿通、係止されている。
【００２８】
止具４は、巾３ｍｍ〜５ｍｍ、長さ８ｃｍ〜１０ｃｍの樹脂材からなる、締結バンドで
あり、自動巻具３の函状ケース３１内に収納されたテープ又は紐体３３の端部に取り付けられ、シャワーホースＳの中間部Ｓｍをワンタッチで締結するもので、当該止具４の一端には挿通孔４ｂと係止部４ｃが形成されている。また締結バンドの先端部４ａは、挿通孔４ｂへの挿入が容易となるように、テーパ面としている。
【００２９】
連結バンド５は、樹脂材からなり、一端に挿通孔５ａを設けた係止部５ｂを形成している。連結バンド５の先端部５ｃは、自動巻具３のフック３ｆに挿入され、続いて接続具２の周縁部２ｂを巻回して挿通孔５ａに挿通し、先端部５ｃを引き絞り、当該連結バンド５は、フック３ｆ及び周縁部２ｂを回動又は左右の揺動が可能に係止部５ｂで緩やかに固定される。
【００３０】
次に、固定具Ｋの組立順序を説明する。先ず吸盤１のジョイント部１１を接続具２の凹部２１に嵌合し、回動軸２２を接続具２両側の軸孔２ｈと軸孔１１ａに挿入し、固定する。軸孔１１ａの内径は、回動軸２２の外径よりやや大とされているので、接続具２は上下に回動可能に軸支される。次に接続具２と自動巻具３は、連結バンド５によって連結される。連結バンド５の先端部５ｃを自動巻具３のフック３ｆに挿入し、接続具２の周縁部２ｂを巻回して挿通孔５ａに挿通し、先端部５ｃを引き絞り、フック３ｆ及び周縁部２ｂを係止部５ｂで固定する。続いて止具４の先端部４ａをテープ又は紐体３３の端部に設けられた挿通孔３３ａに挿通して、固定具Ｋの組立作業は完了する。
【００３１】
図５は、固定具ＫをシャワーホースＳの中間部Ｓｍに止着した状態を示している。吸盤１は、浴室Ｂの壁面Ｗに押しつけ吸着されている。シャワーホースＳの中間部Ｓｍには締結バンドである止具４によってワンタッチで固定されている。シャワーヘッドＳｈは、不使用時、壁面Ｗに取り付けられた、引っ掛け金具Ｗｋに掛吊され、シャワーホースの中間部Ｓｍが洗い場床面Ｆに垂れ下がることはない。また、固定具ＫをシャワーホースＳの中間部Ｓｍに止着した状態でシャワーするとき、シャワーホースＳの上下動は、吸盤１と接続具２の回動軸２２により、またシャワーホースＳの左右の揺動は、連結バンド５が接続具２の開口部２ｃの周縁部２ｂに沿って１８０°以内の円運動が可能であるから、何らの違和感又は抵抗感もなくシャワーを行うことができる。
【図面の簡単な説明】
【００３２】
【図１】は、固定具を構成する部材を分離した状態を示す斜視図である。
【図２】は、固定具を組み立てた状態の正面図である。
【図３】は、自動巻具と止具の一部切欠断面図である。
【図４】（イ）は、自動巻具における渦巻きバネにテープの一端を取り付けた状態を示す拡大断面図、同（ロ）は、止具にテープの他端を取り付けた状態を示す拡大断面図である。
【図５】は、固定具をシャワーホースの中間部に止着した状態の正面図である。
【図６】は、従来例を示すシャワーホースの中間部が、洗い場の床面に接触した状態の斜視図である。
【符号の説明】
【００３３】
Ｂ            浴室
Ｓ            シャワーホース
Ｓｍ          中間部
Ｋ            固定具
Ｗ            壁面
Ｆ            洗い場の床面
１            吸盤
１ａ          外面部
１１          ジョイント部
１１ａ        軸孔
２            接続具
２ａ          軸受
２ｂ          周縁部
２ｃ          開口部
２１          凹部
２２          回動軸
３            自動巻具
３ａ          表蓋
３ｂ          裏蓋
３ｃ          係止部
３ｄ          スリット
３ｅ          固定部
３１          函状ケース
３１ａ        開口部
３２          渦巻きバネ
３３          テープ又は紐体
３３ａ        挿通孔
４            止具
４ａ          先端部
４ｂ          挿通孔
４ｃ          係止部
５            連結バンド
５ａ          挿通孔
５ｂ          係止部
５ｃ          先端部
【図１】
0003144744.tif 000003
【図２】
0003144744.tif 000004
【図３】
0003144744.tif 000005
【図４】
0003144744.tif 000006
【図５】
0003144744.tif 000007
【図６】
0003144744.tif 000008